(57)【要約】【課題】  ノート型パソコン等の情報処理装置において、背面筐体の薄肉化と剛性が十分確保できる背面筐体の形状を提供すること。【解決手段】  マグネシウム合金等の薄板により矩形平面が形成された筐体を有する情報処理装置は、その筐体に、当該筐体の長辺の中心に対して左右対称でかつ当該筐体短辺にほぼ平行に設けられた２つの第１の凹溝形状部と、前記第１の凹溝形状部に略直角に連接し当該筐体長辺にほぼ平行に設けられた第２の凹溝形状部とを備える構成とし、これにより情報処理装置の筐体の矩形平面の剛性を高めるようにした。【選択図】図１
2008003875.tif 000002
【特許請求の範囲】
【請求項１】
マグネシウム合金等の薄板により矩形平面が形成された筐体を有する情報処理装置であって、前記筐体は、
当該筐体の長辺の中心に対して左右対称でかつ当該筐体短辺にほぼ平行に設けられた２つの第１の凹溝形状部と、
前記第１の凹溝形状部に略直角に連接し、当該筐体長辺にほぼ平行に設けられた第２の凹溝形状部と
を備えたことを特徴とする情報処理装置。
【請求項２】
請求項１記載の情報処理装置において、
当該情報処理装置は液晶表示部とインバータを備え、
前記第１と第２の凹溝形状部の底部は前記液晶表示部と空隙をもつように形成され、
前記第１と第２の凹溝形状部以外の筐体部と前記液晶表示部との空隙に前記インバータが収容される
ことを特徴とする情報処理装置。
【請求項３】
請求項１記載の情報処理装置において、
当該情報処理装置は液晶表示部と前記液晶表示部を回転自在に取り付けるヒンジ部を備え、
前記第２の凹溝形状部は、当該筐体の短辺の中心より前記ヒンジ部側に配置される
ことを特徴とする情報処理装置。
【発明の詳細な説明】
【技術分野】
【０００１】
本発明は、ノート型パソコンやペンPCなどに代表される携帯可能な情報処理装置に係り、携帯時の面強度に優れた筐体構造に関する。
【背景技術】
【０００２】
近年、携帯電話や無線カードの普及やワイヤレスLANが使用できるホットスポットなどの通信インフラの発展によりノート型パソコン等の携帯利用する機会が増えている。
【０００３】
携帯利用されるノート型パソコンは、ＣＰＵを搭載した主基板と入力装置のキーボードが搭載された本体部と、液晶などの表示装置を収納したディスプレイ部とで構成され、ディスプレイ部がヒンジにより回動自在に取り付けられた構成となっている。そして、ノート型パソコンの本体部とディスプレイ部の筐体には、軽量化に加え剛性が高いアルミニウム合金の塑性加工法やダイカスト法、マグネシウム合金のダイカスト法やチクソモールディング法で成形したものを使用している。
【０００４】
図３と図４に従来のノート型パソコンの一例を示す。図３はノート型パソコンのディスプレイを閉じた状態での断面を示した図である。図において、5は情報処理装置の本体部、４は本体部5にヒンジで開閉可能に取り付けられたディスプレイ部である。ディスプレイ部４は液晶表示装置１とインバータ６が背面筐体３と前面筐体２の間に配置されている。本体部5は本体上筐体7にキーボード９が取り付けられ本体上筐体７と本体下筐体８との間に主基板１０が配置され、バッテリー１１はヒンジ側に配置され着脱可能になっている。また、小型化のために図４のようにインバータ６を液晶表示装置１と重ねて配置する方式もある。
【０００５】
このようなノート型パソコンを鞄などに入れて持ち運ぶ際や手で持ち運ぶ際には、図３と図４に示すような外力F1がディスプレイ部中央に加えられることがあり、その時に薄肉化している背面筐体３が変形し、収納されている液晶表示装置１に接触して液晶表示装置１が変形し、さらに破損に至る不具合が発生している。また外力Ｆ２がヒンジ側部に加えられ、図４のようにインバータ６が液晶表示装置１と重なっている配置の場合には液晶表示装置１の中央部だけでなく、液晶表示装置１の基板２０やバックライトの管２１、インバータ６の変形や破損の不具合も発生している。
【０００６】
上記のようにノート型パソコンの携帯時の筐体強度の問題を解決する技術として、例えば特許文献１がある。この特許文献１の図１の（a）（b）には、マグネシウム合金をダイカスト法で成形し、略矩形状の中央部に凸状の隆起部を形成した筐体を用いたディスプレイ部を有するノート型パソコンが開示されている。詳しくは、13はディスプレイ部１２のうちの背面筐体で、この背面筐体１3と前面筐体１4との間に液晶表示装置１5が配置されている。背面筐体１3は平面部13aから1〜3ｍｍの隆起部１3b(段差H１)を設けている。この特許文献１によれば1〜３ｍｍの隆起部１3b(段差H１)を設けることにより剛性が向上し、背面筐体１3の中央に外力が加わった場合でも隆起部１3bがない場合に比較して変形量が小さくなり、許容できる範囲で背面筐体１3の平均肉厚T2を薄くできるとしている。
【０００７】
【特許文献１】特開２００３−２０４１７４号公報
【発明の開示】
【発明が解決しようとする課題】
【０００８】
ノート型パソコンの携帯利用環境の整備により、ノート型パソコンなどの筐体には、剛性を確保すると共に極限まで薄肉にして更なる軽量化が求められている。しかしながら特許文献１の図１などにおいてはマグネシウム合金を射出成形することで主要肉厚Ｔ１を０．８ｍｍ程度まで薄くできるとしているが、更なる薄肉化を目指す場合、例えばマグネシウム合金を塑性加工で成形する場合などは肉厚が０．５ｍｍ前後まで薄くできるため、特許文献１の図１ような背面筐体１３の形状では剛性が十分確保できるとはいえない。
【０００９】
本発明の目的は、マグネシウム合金の塑性加工で成形された筐体であっても、剛性を十分確保できる背面筐体の形状をもつノート型パソコン等の携帯情報機器を提供することにある。
【課題を解決するための手段】
【００１０】
上記課題を解決するために、本発明のマグネシウム合金等の薄板により矩形平面が形成された筐体を有する情報処理装置は、その筐体に、当該筐体の長辺の中心に対して左右対称でかつ当該筐体短辺にほぼ平行に設けられた２つの第１の凹溝形状部と、前記第１の凹溝形状部に略直角に連接し当該筐体長辺にほぼ平行に設けられた第２の凹溝形状部とを備える構成とし、これにより情報処理装置の筐体の矩形平面の剛性を高めるようにした。
【発明の効果】
【００１１】
本発明によれば、背面筐体に外力が加わった場合の変形量を小さくすることできるので、筐体の肉厚を低減でき、ノート型パソコン等の携帯情報機器の更なる軽量化が可能である。
【発明を実施するための最良の形態】
【００１２】
以下、本発明の実施形態１を図面に基づき詳細に説明する。
図１は本発明の実施例でノート型ＰＣのディスプレイ部の背面筐体の外観斜視図を示している。ここで、図１の上側が、ディスプレイヒンジ部になり、下側が、ディスプレイを開放したときの、ディスプレイ上方部になっている。図２は、図１の縦断面図を示している。
【００１３】
以下に図１と図２により、本発明を適用したノート型パソコンのディスプレイ部の詳細構成を説明する。ディスプレイ部はマグネシウム合金の塑性加工で形成された背面筐体２２とプラスチックで形成された前面筐体２３とワイヤレスＬＡＮアンテナを収納できるワイヤレスアンテナカバー17の筐体で構成される。液晶表示装置１８とインバータ１９が背面筐体２２と前面筐体２３の間に配置されている。
【００１４】
ここで、背面筐体２２の押圧が所定押圧になるまで背面筐体２２の変形により液晶表示装置１８を押圧しないように、液晶表示装置１８と背面筐体２２は、空隙をもって配設されている。
【００１５】
背面筐体には短辺とほぼ平行である凹溝形状２２aが二本あり、長辺とほぼ平行である凹溝形状２２ｂ一本に繋がっている。インバータ19は、この凹溝形状２２aと２２ｂと外形のヒンジ側長辺とで作られる四角形の中に配置されている。凹溝形状２２aと２２ｂは例えば、基準面22ｄより2〜5ｍｍの深さになっている。この凹溝形状２２aと２２ｂの深さは、この値に限られるものではなく、また、凹溝形状２２aと凹溝形状２２ｂを異なる深さとしてもよい。
【００１６】
また、凹形状２２ｃは背面筐体基準面２２ｄより低い面となっている。このような形状にすることにより、凹溝形状２２aと同様に短辺方向の曲げ剛性を高めるとともに、実施例のノート型パソコン全体を薄く見せるためのデザイン的な面落しとなっている。
【００１７】
また、本実施例では基準面２２ｄがワイヤレスアンテナカバー１７からヒンジ側に向かって徐々に高くなっている傾斜形状だが、基準面２２ｄが平面であるか、極端な傾斜でない限り本発明に含まれる。
【００１８】
このように、本発明の実施例では、背面筐体の短辺と長辺方向に凹溝形状２２aと２２ｂを設けるようにした。これにより、筐体の２方向の曲げ剛性を高めることができるので、背面筐体の荷重強度を高めることができる。特許文献１に開示されている形状との強度比較を図９により後述する。
【００１９】
つぎに、図２の凹溝形状２２ｂの設置位置について説明する。本発明を適用するノート型パソコンは、図５のように携帯時に装置のヒンジ側を抱えて携帯されることを想定している。このため、携帯時に背面筐体の中央部のヒンジ側に圧力を受ける。本実施例では、凹溝形状２２ｂを背面筐体22のヒンジ側長辺から約60ｍｍ（L１）の位置に設けている。これにより、携帯時の押圧による長辺方向の筐体変形を低減する。前記Ｌ１の寸法はこれに限定されるものではないが、携帯時の保持側に凹溝形状２２ｂを設けるようにする。
【００２０】
また、背面筐体22のヒンジ側長辺から約60ｍｍ（L１）の位置に設けた凹溝形状２２ｂは、図６のように、指の引っ掛けとして利用することもでき、携帯性が向上することも期待できる。
【００２１】
本実施例の筐体を形成する材料にマグネシウム合金を選択した場合には、ダイキャスト製法あるいはプレスフォーミングにより、筐体を形成することができる。一般にダイキャスト製法では、溶融金属を流すために、溶融金属の流れを阻害しないように湯口を設定される。図１にしめす筐体を形成するためには、筐体のヒンジ側あるいはワイヤレスアンテナカバー17に湯口が設定される。この場合、図１の凹溝形状２２ｂは、溶融金属の流れを阻害する要因となる。このため、筐体のヒンジ側に湯口を設けることが望ましい。
【００２２】
プレスフォーミングにより筐体を形成する場合には、上記の問題がないので、凹溝形状の自由度を高くすることができる。この場合、本実施例の2〜5ｍｍの深さであれば、絞り加工をおこなうことができる。
【００２３】
つぎに、図７により、他の背面筐体形状について説明する。図１の背面筐体と同様の構成を有し、背面筐体の短辺と長辺方向の凹溝形状２２aと２２ｂが異なり、また、インバータ１９の配設場所が異なる。
【００２４】
背面筐体には短辺とほぼ平行である凹溝形状22aが二本あり、長辺とほぼ平行である凹溝形状15ｂ一本と繋がっている。インバータ19はこの凹溝形状２２ｂと外形のヒンジ側長辺との間でかつ凹溝形状２２aの間に配置されている。凹溝形状２２aと２２ｂは基準面２２ｄより2〜4ｍｍの深さになっている。凹形状２２ｃは背面筐体基準面２２ｄより低い面となっているが情報処理装置全体を薄く見せるためのデザイン的な面落しとなっているため、この凹形状２２ｃの有無は本発明には影響しない。
【００２５】
また、本実施例では基準面22ｄがワイヤレスアンテナカバー１７からヒンジ側に向かって徐々に高くなっている傾斜形状だが、基準面２２ｄが平面であるか、極端な傾斜でない限り本発明に含まれる。
【００２６】
また、本実施例でも実施例１の凹溝形状２２ｂは背面筐体２２のヒンジ側長辺から約60ｍｍ（L1）の位置に設けている。この凹溝形状２２ｂにより図５で示す実施例１と同じように携帯時の手によって受ける外力Ｆ２に対しても有効であり、図６で示す実施例１と同じように凹溝形状２２ｂに指を引っ掛けて持ちやすくしている。
【００２７】
つぎに図１と図７の形状の背面筐体の剛性について図８と図９により説明する。筐体の剛性は、図８に示すように直径５０ｍｍの外力４００Ｎの等分布荷重で背面筐体の３箇所に加えたときの最大たわみ量と最大応力を解析した。  図９に背面筐体をマグネシウム合金の材質で肉厚（板厚）を0.6ｍｍとした場合の解析結果をしめす。
【００２８】
これによれば、実施例の図１と実施例の図７の背面筐体の最大たわみ量は、全ての位置で特許文献１より少ないため剛性が高いことを示している。
【００２９】
図により説明した本実施例は、ノート型パソコンのディスプレイ部の背面筐体の形状について説明したが、本発明はこれに限定されたものではなく、薄板で矩形平面が形成される情報処理装置の筐体に適用することができ、例えば、ノート型パソコンの本体の底部筐体にも適用できる。
【図面の簡単な説明】
【００３０】
【図１】本発明の実施例1における情報処理装置のディスプレイ部の外観斜視図である。
【図２】本発明の実施例１と実施例２における情報処理装置のディスプレイ部の断面図である。
【図３】従来のノート型PCの断面図（ディスプレイ部を閉じた状態）である。
【図４】従来のノート型PCの断面図（インバータが液晶と重なった配置）である。
【図５】本発明の実施例１における情報処理装置を手で持った状態の図である。
【図６】本発明の実施例１における情報処理装置を手で持ち指を溝に掛けた状態の図である。
【図７】本発明の実施例２における情報処理装置のディスプレイ部の外観斜視図である。
【図８】本発明の実施例３における解析条件の図である。
【図９】本発明の実施例３における解析結果の図である。
【符号の説明】
【００３１】
１…液晶表示装置、２…前面筐体、３…背面筐体、４…ディスプレイ部、
５…本体部、６…インバータ、７…本体上筐体、８…本体下筐体、
９…キーボード、１０…主基板、１１…バッテリー、
１７…実施例のワイヤレスアンテナカバー、１８…実施例の液晶表示装置、
１９…実施例のインバータ、２０…液晶表示装置の基板、
２１…液晶表示装置のバックライトの管、２２…実施例の背面筐体、
２２a…凹溝形状（短辺とほぼ平行）、２２b…凹溝形状（長辺とほぼ平行）、
２２ｃ…凹形状、２２ｄ…基準面、２３…実施例の前面筐体
【図１】
2008003875.tif 000003
【図２】
2008003875.tif 000004
【図３】
2008003875.tif 000005
【図４】
2008003875.tif 000006
【図５】
2008003875.tif 000007
【図６】
2008003875.tif 000008
【図７】
2008003875.tif 000009
【図８】
2008003875.tif 000010
【図９】
2008003875.tif 000011